(57)【要約】  本発明は、ソーラーパネルシステムに関し、特に、費用対効果の高い方法で性能を向上させるための新規なソーラーパネル設計に関する。本発明はソーラーパネルアセンブリを含む。ソーラーパネルアセンブリは、第１透明材料と第２透明材料とを含む複数の細長いソーラー電気モジュールを含む。加えて、ソーラー電気材料が第１透明材料と第２透明材料との間に配設される。ソーラー電気モジュールは、１つ以上のソーラー電気セルの細長いアレイを含んでいてもよい。加えて、１つ以上のソーラー電気セルの各アレイは少なくとも１つの両面型ソーラーセルを含む。【選択図】図１１
2019537283.tif 000002
【特許請求の範囲】
【請求項１】
細長いソーラー電気モジュールであって、
第１透明材料と、
第２透明材料と、
前記第１透明材料と前記第２透明材料との間に配設されるソーラー電気材料と、を備える、細長いソーラー電気モジュール。
【請求項２】
前記ソーラー電気材料は、１つ以上のソーラー電気セルの細長いアレイからなる、請求項１に記載の細長いソーラー電気モジュール。
【請求項３】
１つ以上のソーラー電気セルの各アレイは、少なくとも１つの両面型ソーラーセルを含む、請求項２に記載の細長いソーラー電気モジュール。
【請求項４】
ソーラーパネルアセンブリであって、
複数の細長いソーラー電気モジュール、を備え、
各細長いソーラー電気モジュールは、第１透明材料と、第２透明材料と、各第１透明材料と前記第２透明材料との間に配設されるソーラー電気材料とを含む、ソーラーパネルアセンブリ。
【請求項５】
各ソーラー電気モジュールは、各細長いソーラー電気モジュールの幅の少なくとも４分の１である距離に離間される、請求項４に記載のソーラーパネルアセンブリ。
【請求項６】
前記ソーラー電気モジュールの断面は、正方形、三角形、楕円形、又は円形のうちの少なくとも１つである、請求項５に記載のソーラーパネルアセンブリ。
【請求項７】
前記第１透明材料は第１形状を有し、前記第２透明材料は第２形状を有し、前記第１形状は前記第２形状とは異なる、請求項４に記載のソーラーパネルアセンブリ。
【請求項８】
前記第１透明材料又は前記第２透明材料のうちの少なくとも１つは中空部分を含む、請求項４に記載のソーラーパネルアセンブリ。
【請求項９】
前記ソーラー電気材料は、離れて間隔を空けられ、互いに電気的に結合されるソーラー電気セルの１つ以上のアレイを備える、請求項４に記載のソーラーパネルアセンブリ。
【請求項１０】
前記第１透明材料及び前記第２透明材料は、２つ以上の隣接する平面を有する、請求項９に記載のソーラーパネルアセンブリ。
【請求項１１】
前記ソーラー電気セルの１つ以上のアレイは、前記２つ以上の隣接する平面にわたっている、請求項１０に記載のソーラーパネルアセンブリ。
【請求項１２】
ソーラーパネルアセンブリであって、
それぞれが２つ以上の隣接する平面を有する複数の細長いソーラー電気管と、
離間され、電気的に結合されるソーラー電気セルの１つ以上のアレイを備えるソーラー電気材料と、を備え、
ソーラー電気材料は、各細長いソーラー電気管の内側部分の前記２つ以上の隣接する平面にわたっている、ソーラーパネルアセンブリ。
【請求項１３】
各細長いソーラー電気管は四辺形形状の断面を有する、請求項１２に記載のソーラーパネルアセンブリ。
【請求項１４】
前記ソーラー電気材料は、前記隣接する平面の２つに配設される、請求項１３に記載のソーラーパネルアセンブリ。
【請求項１５】
各細長いソーラー電気管は中空の透明材料部分を有する、請求項１４に記載のソーラーパネルアセンブリ。
【請求項１６】
前記ソーラー電気材料は両面型ソーラーセルを含む、請求項１２に記載のソーラーパネルアセンブリ。
【請求項１７】
前記複数の細長いソーラー電気管は第１透明材料を備える、請求項１２に記載のソーラーパネルアセンブリ。
【請求項１８】
更に、前記複数の細長いソーラー電気管内部に透明材料を備える、請求項１２に記載のソーラーパネルアセンブリ。
【請求項１９】
各細長いソーラー電気管の前記断面は円形である、請求項１２に記載のソーラーパネルアセンブリ。
【請求項２０】
各細長いソーラー電気管の前記断面は透明材料の形状によって画成される、請求項１２に記載のソーラーパネルアセンブリ。
【発明の詳細な説明】
【技術分野】
【０００１】
[0001]  本発明は、ソーラーパネルシステムに関し、特に、費用対効果の高い方法で性能を向上させるための新規なソーラーパネル設計に関する。
【背景技術】
【０００２】
[0002]  ソーラーパネル技術は過去数十年にわたって進化してきた。ソーラーパネルは、通常、太陽光線を吸収し、太陽光及び熱を電気エネルギーに変換する半導体材料の平坦なシートを含む。しかし、平坦なシートからなる従来のソーラーパネルは、風の強い日や嵐の間にパネルの構造的完全性に影響を及ぼす可能性がある風の力を受ける。ソーラーパネル用の取り付けシステムは存在するが、製造及び設置にはどちらかと言えば費用がかかる。
【０００３】
[0003]  従って、費用対効果が高く、風力に耐えるよう構造的に構成され、且つ設置が容易なソーラーパネルに対するニーズが存在している。本発明はこのニーズに応えるものである。
【発明の概要】
【０００４】
[0004]  本発明は、ソーラーパネルシステムに関し、特に、費用対効果の高い方法で性能を向上させるための新規なソーラーパネル設計に関する。本発明は、第１透明材料と第２透明材料とを含む細長いソーラー電気モジュールを開示する。ソーラー電気材料は、第１透明材料と第２透明材料との間に配設されてもよい。
【０００５】
[0005]  本発明は、また、複数の細長いソーラー電気管を含むソーラーパネルアセンブリも開示する。細長いソーラー電気管のそれぞれは、２つ以上の隣接する平面を有する。加えて、ソーラーパネルアセンブリは、離間され、電気的に結合されるソーラー電気セルの１つ以上のアレイを備えるソーラー電気材料を含んでいる。ソーラー電気材料は、各細長いソーラー電気管の内側部分の２つ以上の隣接する平面にわたっている。
【図面の簡単な説明】
【０００６】
[0006]  理解を容易にするため、同一符号が、可能な限り、図面に共通する同一の構成要素を指定するために用いられている。図面は正確な縮尺ではなく、図面内の様々な構成要素の相対寸法は概略的に描かれており、必ずしも縮尺通りではない。本発明の技術は、添付の図面と共に以下の詳細な説明を考慮することによって容易に理解されるであろう。
【図１】図１は、本発明と一致するソーラー電気モジュール実施形態の断面図である。
【図２】図２は、非対称の透明材料厚さを有する本発明と一致する別のソーラー電気モジュール実施形態の断面図である。
【図３】図３は、第１透明材料及び第２透明材料に対して独特の形状を有する本発明と一致するソーラー電気モジュールの別の代表的な実施形態の断面図である。
【図４】図４は、非平面の透明材料構成を有する本発明と一致する別のソーラー電気モジュール実施形態の断面図である。
【図５】図５は、非対称の透明材料構成を有する本発明と一致する別のソーラー電気モジュール実施形態の別の断面図である。
【図６】図６は、非対称の透明材料構成を有する本発明と一致するソーラー電気モジュールの別の代表的な実施形態の断面図である。
【図７】図７は、非対称の透明材料構成を有する本発明と一致するソーラー電気モジュールの別の代表的な実施形態の断面図である。
【図８】図８は、単一の四辺形形状の透明材料構成を有する本発明と一致する別のソーラー電気モジュール実施形態の断面図である。
【図９】図９は、単一の透明材料構成を有する本発明と一致する別のソーラー電気モジュール実施形態の断面図である。
【図１０Ａ】図１０Ａは、単一の四辺形形状の透明材料に沿って変化する厚さを有する別のソーラー電気モジュールの断面図である。
【図１０Ｂ】図１０Ｂは、底部領域に追加の透明層を有する単一の四辺形形状の透明材料に沿って変化する厚さを有するソーラー電気モジュールの断面図である。
【図１１】図１１は、その内部にソーラー電気材料を持つ円形状の透明材料を有する本発明と一致する別のソーラー電気モジュール実施形態の断面図である。
【図１２Ａ】図１２Ａは、複数のソーラー電気モジュールを有するソーラーパネルの斜視図である。
【図１２Ｂ】図１２Ｂは、線Ａ−Ａに関するソーラーパネルの断面図である。
【発明を実施するための形態】
【０００７】
[0021]  本発明を詳細に説明する前に、特に明記しない限り、本発明は、説明されているか否かにかかわらず、特定の手順又は項目に限定されないことは言うまでもない。
【０００８】
[0022]  更に、本明細書中で用いる用語は特定の実施形態を説明することのみを目的としており、本発明の適用範囲を制限することを意図していないことは言うまでもない。
【０００９】
[0023]  本明細書中及び特許請求の範囲内で用いるように、単数形「ａ」及び「ｔｈｅ」は、文脈上明らかに別段の規定がない限り、複数の指示対象を含むことに留意されたい。
【００１０】
[0024]  値の範囲が設けられる場合、文脈上明らかに別段の規定がない限り、その範囲の上限と下限との間で下限の単位の１０分の１までの各介在値、及びその記載された範囲内の他の任意の記載された又は介在する値は、発明内に包含されることが理解される。これらのより小さな範囲の上限及び下限は、独立してより小さな範囲に含まれてもよく、また、記載された範囲内の任意の具体的に除外された制限を対象として、開示内に包含される。記載された範囲が制限の一方又は両方を含む場合、それらの含まれた制限のどちらか一方又は両方を除外した範囲もまた開示に含まれる。用語「約」は、一般に、記載された値の±１０％を指す。
【００１１】
[0025]  本発明は、ソーラーパネルシステムに関し、特に、費用対効果の高い方法で性能を向上させるための新規なソーラーパネル設計に関する。本発明は、第１透明材料と第２透明材料とを含む細長いソーラー電気モジュールを開示する。細長いソーラー電気モジュールは、また、第１透明材料と第２透明材料との間に配設されるソーラー電気材料を含む。
【００１２】
[0026]  本発明において開示されるソーラーパネルシステムは、ソーラー電気モジュールの材料成分、すなわち透明材料、太陽電池、接着材、及び他の商品化された材料が手軽に豊富にあるため、費用対効果が高い。更に、本開示は、従来のソーラー電気モジュールよりも軽量のソーラー電気モジュールの幾つかの実施形態を提供し、それによって、より容易な設置を促進している。
【００１３】
[0027]  幾つかの実装において、本明細書中に開示するソーラーパネルシステムは、太陽から直接光を捕捉し、またソーラーパネルシステムの直下の（例えば、屋根の）表面から反射される光も捕捉するために両面型ソーラーセルを使用する。
【００１４】
[0028]  図１は、本発明と一致するソーラー電気モジュール１００実施形態の断面図である。複数のソーラー電気モジュール１００がソーラーパネル内に設置されてもよい。図１はソーラー電気モジュール１００の断面図を示しているが、当業者は、ソーラー電気モジュール１００が管形状（例えば、細長い）を有し、従って、その長さがその幅よりも大きいことを正しく認識するであろう。
【００１５】
[0029]  本発明と一致するソーラーパネルは、１つ以上のソーラー電気モジュールの細長いアレイを含んでいてもよい。同様に、各ソーラー電気モジュールは、離間しているが互いに電気的に結合されるソーラー電気セルの細長いアレイを含んでいてもよい。幾つかの実装において、ソーラー電気セルの各アレイは、両面型光起電材料（例えば、ソーラーセル）を含む。
【００１６】
[0030]  図１はソーラー電気モジュール１００の断面図が円形であることを示しているが、本発明はこれに限定されない。ソーラー電気モジュール１００は、ソーラー電気モジュール１００の性能が制約されない限り、任意の適切な断面形状を有していてもよい。
【００１７】
[0031]  幾つかの実施形態において、各ソーラー電気モジュールは、それぞれ細長いソーラー電気モジュールの幅の少なくとも４分の１である距離に離間している。更に、各ソーラー電気モジュールの断面は、正方形、三角形、楕円形、又は円形であってもよい。しかし、本発明はこれらの形状に限定されず、本発明の実施形態の代表的及び例示的なものであることを承知すべきである。
【００１８】
[0032]  ソーラー電気モジュール１００は太陽光を吸収し、前記吸収した光を電気エネルギーに変換する。変換された電気エネルギーは、ソーラー電気モジュール１００装置から送られてもよい。図示する実施形態において、第１及び第２透明材料１０７、１０８の形状は、より多くの太陽光をソーラー電気材料１０２に到達させることを目的としている。
【００１９】
[0033]  第１及び第２透明材料１０７、１０８は５〜１５ｍｍの範囲の断面厚さを有していてもよい。例えば、一実施形態において、各透明材料１０７、１０８の断面厚さは略１０ｍｍである。
【００２０】
[0034]  第１及び第２透明材料１０７、１０８間にソーラー電気材料が位置する。この開示全体にわたる様々な実施形態において、ソーラー電気材料１０２は光起電材料１０２である。例えば、光起電材料１０２は、単結晶シリコン、多結晶シリコン、アモルファスシリコン、テルル化カドミウム、又はセレン化／硫化銅インジウムガリウムを備えていてもよい。光起電材料１０２は入射太陽光を吸収し、光エネルギーを電気エネルギーに変換する。
【００２１】
[0035]  本発明の１つ以上の実施形態において、光起電材料１０２は接着材層１０３に埋め込まれる。図に示すように、接着材１０３の上面１０５は第１透明材料１０７の底面に入る。更に、接着材１０３の底面１０６は、第２透明材料１０８の上面に入る。
【００２２】
[0036]  この開示において、第１透明材料１０７と第２透明材料１０８との間の材料（例えば、光起電材料１０２及び接着材１０３）は、集合的に、材料のスタック１１１と称されてもよい。
【００２３】
[0037]  図２は、非対称の透明材料厚さを有する本発明と一致する別のソーラー電気モジュール２００実施形態の断面図である。ソーラー電気モジュール２００は、ソーラー電気モジュール２００が第１及び第２透明材料２０７、２０８の間に材料のスタック２１１を含むような図１に示すソーラー電気モジュールと類似のものである。
【００２４】
[0038]  スタック２１１は、接着材２０３ａ、２０３ｂの間に配設される光起電材料２０２を含んでいる。スタック２１１は、また、光起電材料２０２及び接着材２０３ａ、２０３ｂの側面に横方向材料層２０４ａ、２０４ｂも含んでいる。横方向材料層２０４ａ、２０４ｂは、ソーラー電気モジュール２００内で光起電材料２０２を電気的に絶縁するよう電気抵抗性であってもよい。横方向材料層２０４ａ、２０４ｂは、シリコン、ブチルゴム、又は当該技術分野において公知の他の任意の適切な材料を備えていてもよい。
【００２５】
[0039]  幾つかの実施形態において、接着材層２０３ａの上面２０５は第１透明材料２０７に入るのに対して、接着材層２０３ｂの底面２０６は第２透明材料２０８に入る。幾つかの実施形態において、横方向材料層２０４ａ、２０４ｂは同様に接着特性を有していてもよい。
【００２６】
[0040]  とりわけ、第１透明材料２０７の面積は第２透明材料２０８の面積よりも小さい。図示するように、第１透明材料２０７の断面厚さ２０９は第２透明材料２０８の断面厚さ２１０よりも小さい。幾つかの実施形態において、第１及び第２透明材料２０７、２０８の断面厚さ２０９、２１０は、それぞれ、５〜１５ｍｍの範囲であってもよい。例えば、第１透明材料２０７の断面厚さ２０９は８ｍｍであってもよいのに対して、第２透明材料２０８の断面厚さ２１０は略１０ｍｍであってもよい。
【００２７】
[0041]  図３は、第１透明材料３０１及び第２透明材料３０２に対して独特の形状を有する本発明と一致するソーラー電気モジュール３００の別の代表的な実施形態の断面図である。ソーラー電気モジュール３００は、第１及び第２透明材料３０１、３０２の間に材料層のスタック３１１を有している。
【００２８】
[0042]  図において、第１透明材料３０１は三角形状を有しているのに対して、第２透明材料３０２は半円形状を有する。透明材料３０１、３０２の異なる形状は、様々な性能属性に影響を及ぼし、より容易な又はより安価なデバイス製造を可能にしてもよい。
【００２９】
[0043]  各透明材料３０１、３０２はソーラー電気材料に影響を及ぼしてもよい。例えば、円形の第２透明材料３０２は、風がその下を円滑に流れることを可能にしてもよい。従って、ソーラー電気モジュール３００の全体形状は、風力に耐性がある安定した装置を提供するために空気力学的に適していてもよい。
【００３０】
[0044]  図４は、非平面の透明材料構成を有する本発明と一致する別のソーラー電気モジュール４００実施形態の断面図である。ソーラー電気モジュール４００は、第１及び第２透明材料４０１、４０５の間に配設される材料層のスタック４１１を含んでいる。
【００３１】
[0045]  とりわけ、ソーラー電気モジュール４００は、第１及び第２透明材料４０１、４０５における曲げを容易にするよう分離した光起電材料４０２ａ、４０２ｂを含んでいる。実施形態において、光起電材料４０２ａ、４０２ｂは接着材４０３内に取り込まれている。図示の実施形態において、第１及び第２透明材料４０１、４０５はそれぞれ、その中央領域に屈曲部を有する。
【００３２】
[0046]  図５は、非対称の透明材料構成を有する本発明と一致する別のソーラー電気モジュール５００実施形態の別の断面図である。ソーラー電気モジュール５００は、前の図に示したソーラー電気モジュールと類似している。従って、ソーラー電気モジュール５００は、第１及び第２透明材料５０１、５０２の間に配設される材料層のスタック５１１を含んでいる。
【００３３】
[0047]  とりわけ、第２透明材料５０２は中空部分５１２を有する四辺形形状を有している。中空部分５１２は、ソーラー電気モジュール５００、及び従って、これらのモジュールを含むソーラーパネルに多くの利点を提供してもよい。
【００３４】
[0048]  例えば、中空部分５１２は、それが従来のソーラー電気モジュールよりも少ないキログラムのガラスを必要としてもよいため、費用効果の高いソーラー電気モジュールを促進する。従って、ソーラー電気モジュール５００を組み込むソーラーパネルは、それらの重量が軽いため、設置がより容易である。その上、ソーラー電気モジュール５００の構成は、従来の平面ガラス板（透明材料）で作られたソーラー電気モジュールよりもはるかに強いアセンブリをもたらす可能性がある。
【００３５】
[0049]  図６は、非対称の透明材料構成を有する本発明と一致するソーラー電気モジュール６００の別の代表的な実施形態の断面図である。ソーラー電気モジュール６００は、第１及び第２透明材料６０１、６０２の間に配設される材料層のスタック６１１を含んでいる。
【００３６】
[0050]  とりわけ、第１透明材料６０１は前の図における第１透明材料と類似している。しかし、第２透明材料６０２は、前半分が三角形であるが、下半分が半円形であるように成形される。中空部分５１２は、また、平面透明シートを備えるソーラー電気モジュールよりも強いアセンブリをもたらすことができる。
【００３７】
[0051]  図７は、非対称の透明材料構成を有する本発明と一致するソーラー電気モジュール７００の別の代表的な実施形態の断面図である。ソーラー電気モジュール７００は、非対称形状の第１透明材料７０２と非対称形状の第２透明材料７０１とを含み、それらの間に材料（例えば、光起電材料及び接着材）のスタック７１１が配設されている。加えて、図示するように、第２透明材料７０１はその内部に中空部分７１２を有している。
【００３８】
[0051]  図８は、単一の四辺形形状の透明材料構成を有する本発明と一致する別のソーラー電気モジュール８００実施形態の断面図である。透明材料８０１の内側表面には、材料のスタック８１４がある。
【００３９】
[0052]  スタック８１４は、接着材８０３、ソーラー電気材料（例えば、光起電材料層）８０２ａ、８０２ｂ、及び材料層８１３を含む。幾つかの実施形態において、光起電材料層８０２ａ、８０２ｂは両面型である。
【００４０】
[0054]  光起電材料層８０２ａ、８０２ｂは、接着材８０３によって透明材料８０１に接着されてもよい。幾つかの実装において、接着材８０３は、透明材料８０１の内側部分と光起電材料層８０２ａ、８０２ｂとの間に配設される。各光起電材料層８０２ａ、８０２ｂの対向する側面には材料層８１３がある。
【００４１】
[0055]  幾つかの実施形態において、材料層８１３は、光起電材料の下面に入る光の反射を低減するよう設計される１つ以上の透明材料を備えている。幾つかの実装において、材料層８１３は反射防止材を含んでいる。
【００４２】
[0056]  材料層８１３は、シリコン又はエチル酢酸ビニルを備えていてもよいが、本発明はこれらに限定されない。幾つかの実装において、材料層８１３は、機械的に比較的脆弱であってもよく、光が両面型ソーラーセル８０２ａ、８０２ｂに効果的に到達することを可能にする光学特性を有していてもよい。とりわけ、ソーラー電気モジュール８０１は、ソーラー電気材料８０２ａ、８０２ｂの底面が透明材料（例えば、透明材料８０１の下半分の部分）に隣接していなくても、太陽光を集めて電気エネルギーに変換するために良好に機能する。
【００４３】
[0057]  接着材８０３は１ミリメートル未満の厚さを有していてもよい。材料層８１３は、反射光線がそれに入射する場合、材料層８１３が光起電材料層８０２ａ、８０２ｂへのそれらの透過を容易にするような任意の組成を備えていてもよい。透明材料８０１はその内部に中空部分８１２を有する。
【００４４】
[0058]  図９は、単一の透明材料構成を有する本発明と一致する別のソーラー電気モジュール９００実施形態の断面図である。ソーラー電気モジュール９００は、透明材料９０１の内側表面上に配設され、それに接着される（例えば、接着材９０３を介して）両面型光起電材料層９０２ａ、９０２ｂを有する。接着材９０３は１ミリメートル未満の厚さを有していてもよい。透明材料９０１はその内部に中空部分９１２を含んでいる。幾つかの実装において、材料層９１３は反射防止材を含んでいる。
【００４５】
[0059]  幾つかの実装において、材料層９１３は、機械的に比較的脆弱であってもよく、光が両面型ソーラーセル９０２ａ、９０２ｂに効果的に到達することを可能にする光学特性を有していてもよい。とりわけ、ソーラー電気モジュール９０１は、ソーラー電気材料９０２ａ、９０２ｂの底面が透明材料（例えば、透明材料９０１の下半分の部分）に隣接していなくても、太陽光を集めて電気エネルギーに変換するために良好に機能する。
【００４６】
[0060]  図１０Ａは、単一の四辺形形状の透明材料に沿って変化する厚さを有する別のソーラー電気モジュール１０００の断面図である。ソーラー電気モジュール１０００は、その内部に接着材−ソーラーセル−接着材層１００３／１００２ａ／１００３、１００３／１００２ｂ／１００３のスタックを有する単一の外側透明材料１００１を特徴とする。
【００４７】
[0061]  加えて、ソーラー電気モジュール１０００はその内部に中空部分１０１２を含んでいる。接着材１００３は１ミリメートル未満の厚さを有していてもよい。幾つかの実装において、材料層１０１３は反射防止材を含んでいる。
【００４８】
[0062]  図示するように、厚さの変化は透明材料１００１の底部における区分１０１０によって見られる。とりわけ、透明材料１００１の一端部付近の中空部分１０１２の下には、透明材料１００１のより厚い部分１０１１がある。
【００４９】
[0063]  透明材料１００１のより厚い部分１０１１は、透明材料１００１の屈折率が反射光を透明材料１００１の内側で好ましくは光起電材料層１００３ａ、１００３ｂに向かって曲げるため、光起電材料層１００３ａ、１００３ｂに到達する反射光の量を増加させてもよい。
【００５０】
[0064]  幾つかの実装において、材料層１０１３は、機械的に比較的脆弱であってもよく、光が両面型ソーラーセル１００２ａ、１００２ｂに効果的に到達することを可能にする光学特性を有していてもよい。とりわけ、ソーラー電気モジュール１００１は、ソーラー電気材料１００２ａ、１００２ｂの底面が透明材料（例えば、透明材料１００１の下半分の部分）に隣接していなくても、太陽光を集めて電気エネルギーに変換するために良好に機能する。
【００５１】
[0065]  図１０Ｂは、底部領域に追加の透明層を有する単一の四辺形形状の透明材料に沿って変化する厚さを有するソーラー電気モジュール１０００の断面図である。図示するように、ソーラー電気モジュール１０００は、その内部に接着材−ソーラーセル−接着材層１００３／１００２ａ／１００３、１００３／１００２ｂ／１００３のスタックを有する単一の外側透明材料１００１を特徴とする。とりわけ、厚さの変化は第２透明材料を加えることによって達成されてもよい。
【００５２】
[0066]  幾つかの実施形態において、材料層１０１１は、透明材料１００１の一端部（中空部分の下）において液体透明材料を固化することによって形成されてもよい透明材料を備えている。有利に、材料層１０１０は、透明材料の屈折率（例えば、＞１）が反射光を透明材料１００１の内側で好ましくは光起電材料層１００２ａ、１００２ｂに向かって曲げるため、光起電材料層１００２ａ、１００２ｂに達する反射光の量を増加させてもよい。幾つかの実施形態において、材料層１０１１は透明材料１００１と同じ屈折率を有する。
【００５３】
[0067]  図１１は、その内部にソーラー電気材料を持つ円形状の透明材料を有する本発明と一致する別のソーラー電気モジュール１１００実施形態の断面図である。図に示すソーラー電気モジュール１１００は円形の透明材料１１０１（中空部分１１１２を有する）を示し、その内部にソーラー電気材料１１０２ａ、１１０２ｂが透明材料１１０１の内壁に配設されている。円形を有するソーラー電気モジュールは製造するのに比較的安価である可能性があるため、ソーラー電気モジュール１１００の実装は有利であってもよい。加えて、円形の透明材料は市場に豊富に存在し、それによりコストを削減している。
【００５４】
[0068]  ソーラー電気材料１１０２ａ、１１０２ｂは、接着材１１０３の領域を介して透明材料１１０１の内壁に接着されてもよい。更に、材料層１１１３は、選択及び設計に従ってソーラー電気材料１１０２ａ、１１０２ｂの背面に配設されてもよい。幾つかの実装において、材料層１１１３は反射防止材を含んでいる。
【００５５】
[0069]  図１２Ａは、複数のソーラー電気モジュール１２０１を有するソーラーパネル１２００の斜視図である。とりわけ、ソーラー電気モジュール１２０１はソーラーパネルの幅にわたっている。ソーラー電気モジュールは、ソーラー電気モジュール１２００が強い風に耐え、太陽光エネルギーを吸収するのに十分な光起電材料を提供するよう構造的に適合するように、任意の適切な距離だけ離間させてもよい。
【００５６】
[0070]  図１２Ｂは、線Ａ−Ａに関するソーラーパネル１２００の断面図である。特に、線Ａ−Ａについて、ソーラー電気モジュール１２０１ａ〜１２０１ｄの断面が露出している。加えて、フレーム端部１２１５ａ、１２１５ｂは、線Ａ−Ａに沿ってソーラー電気モジュール１２０１ａ〜１２０１ｄを示すよう描かれている。
【００５７】
[0071]  とりわけ、ソーラー電気モジュール１２０１の断面は、図１１のソーラー電気モジュールと一致している。しかし、本発明は、ソーラーパネル１２００のソーラー電気モジュール１２０１がこの開示内で検討される代表的な実施形態のうちのいずれかであってもよいため、それらに限定されない。幾つかの実装において、ソーラーパネル１２００は、それらの断面がソーラー電気モジュール毎に異なってもよいように、ソーラー電気モジュールのハイブリッドからなっていてもよい。
【００５８】
[0072]  前記の説明及び添付図面は、理解を助けるために実施形態の実施例をある程度詳細に説明している。しかし、保護範囲は、また、本明細書中で明示的に説明されていない均等物、置き換え、及び組み合わせを含んでいてもよい。ここに添付された特許請求の範囲（存在する場合、親、子、又は分割特許と共に）だけが保護する知的財産権の制限を規定する。
【図１】
2019537283.tif 000003
【図２】
2019537283.tif 000004
【図３】
2019537283.tif 000005
【図４】
2019537283.tif 000006
【図５】
2019537283.tif 000007
【図６】
2019537283.tif 000008
【図７】
2019537283.tif 000009
【図８】
2019537283.tif 000010
【図９】
2019537283.tif 000011
【図１０Ａ】
2019537283.tif 000012
【図１０Ｂ】
2019537283.tif 000013
【図１１】
2019537283.tif 000014
【図１２Ａ】
2019537283.tif 000015
【図１２Ｂ】
2019537283.tif 000016
【国際調査報告】
2019537283.tif 000017
2019537283.tif 000018
2019537283.tif 000019